(57)【特許請求の範囲】
【請求項１】
圧縮機に直列に接続された第１及び第２のタービン間に設置される固着ノズルシステムを制御する方法であって、
ノズルシステムが固着したか否かを判定する段階と、
前記ノズルシステムが固着したときに最小速度指令を増大するよう前記第１のタービンに指示する段階と、
前記ノズルシステムが引き続き固着しているか否かを検証する段階と、
前記ノズルシステムが固着したときに入口ブリード加熱（ＩＢＨ）流量を現在値から最大値まで増大するよう前記圧縮機に指示する段階と、
前記ノズルシステムが引き続き固着しているか否かを検証する段階と、
前記ノズルシステムが固着したときに入口ガイドベーン（ＩＧＶ）角を現在値から最大値まで増大させるよう前記圧縮機に指示する段階と、
を含む方法。
【請求項２】
前記第１のタービンの最小速度指令の増大、前記ＩＢＨ流量の増大、更にＩＧＶ角の増大をこのシーケンスで実施する段階を更に含む、請求項１に記載の方法。
【請求項３】
前記ノズルシステムが固着していないときには前記シーケンスをストップする段階を更に含む、請求項２に記載の方法。
【請求項４】
前記ノズルシステムの制御が回復されたか否かを検証することなく前記第１のタービンの最小速度指令を現在値からより高い値に増大させる段階を更に含む、請求項１に記載の方法。
【請求項５】
前記最小速度指令が公称値の９４％であり、前記増大した最小速度指令が公称値の９８％である、請求項４に記載の方法。
【請求項６】
前記ＩＢＨ流量を現在の値から最大値まで漸増させる段階と、
前記ＩＢＨ流量の漸増の間に前記ノズルシステムが依然として固着しているか否かを検出する段階と、
を更に含む、請求項１に記載の方法。
【請求項７】
前記ノズルシステムが固着解除されたときに前記ＩＢＨ流量の増分的増大をストップする段階を更に含む、請求項６に記載の方法。
【請求項８】
前記最大値が、圧縮機を通る最大流量の７％である、請求項６に記載の方法。
【請求項９】
固着したノズルを改善するよう構成されたシステムにおいて、媒体を加圧するよう構成された圧縮機を備え、
該圧縮機が、
前記加圧媒体の一部を前記圧縮機の入口に戻すことができる入口ブリード加熱（ＩＢＨ）機構と、
前記圧縮機の入口への媒体流を制御するよう構成された入口ガイドベーン（ＩＧＶ）機構と、
を含み、
前記システムが更に、
前記圧縮機に流体接続され、前記加圧媒体を燃料と混合して点火した後に排出ガスを生成するよう構成された燃焼器と、
前記燃焼器に直列に接続された第１及び第２のタービンと、
前記ノズルを含み、前記第１のタービンと前記第２のタービンとの間でエンタルピーの分割を調整するよう構成されたノズル機構と、
前記第１のタービン、前記ＩＢＨ機構、及び前記ＩＧＶ機構に接続され、前記第１のタービンの最小速度指令、ＩＢＨ流量、及びＩＧＶ角を増大させて前記ノズル機構を固着解除するよう構成されたコントローラと、
を備えるシステム。
【請求項１０】
コンピュータ実行可能命令を含むコンピュータ可読媒体であって、前記命令が、実行時に、圧縮機に直列に接続された第１及び第２のタービン間に設置される固着ノズルシステムを制御する方法を実施し、前記方法が、
ノズルシステムが固着したか否かを判定する段階と、
前記ノズルシステムが固着したときに最小速度指令を増大するよう前記第１のタービンに指示する段階と、
前記ノズルシステムが引き続き固着しているか否かを検証する段階と、
前記ノズルシステムが固着したときに入口ブリード加熱（ＩＢＨ）流量を現在値から最大値まで増大するよう前記圧縮機に指示する段階と、
前記ノズルシステムが引き続き固着しているか否かを検証する段階と、
前記ノズルシステムが固着したときに入口ガイドベーン（ＩＧＶ）角を現在値から最大値まで増大させるよう前記圧縮機に指示する段階と、
を含む、コンピュータ可読媒体。
【発明の詳細な説明】
【技術分野】
【０００１】
本明細書で開示される主題の実施形態は、全体的に方法及びシステムに関し、より詳細には、遮断されたノズルを改善する機構及び手法に関する。
【背景技術】
【０００２】
ターボ機械は、流体加圧、流体／ガス流エネルギーの電気エネルギーへの転換、流体液化、その他を実施するために石油及びガス産業において広く使用されている。このような１つの機械は、図１に示すようなガスタービン２である。最新のガスタービンは、圧縮機４、燃焼室６、及び該燃焼室６により提供される高温パーティクルから運動エネルギーを抽出するよう構成された複数の段８及び１０（例えば、直列接続の複数の膨張器）を含み、各段は流れ媒体のパーティクルの速度を低下させる。
【０００３】
図１に示すガスタービン２の２つの段は、高圧タービン及び低圧タービンをそれぞれ含むことができる。各段は、固有インペラ（図示せず）と、固有ロータ１２及び１４とを有する。第１の段８は、入口１８と出口２０とを有する。流れ媒体（例えば、燃焼器６からの排出ガス）は、従来の方法で入口１８において導入される。流れ媒体から抽出されたエネルギーは、ガスタービンによりロータ１２の回転エネルギーに転換されて圧縮機４に伝達することができる。排出ガスを環境に放出する前に出口３０にて該排出ガスから更にエネルギーを抽出するのが望ましい。従って、出口２０からの出力媒体は、第２の段１０の入口２２における入力として提供される。パーティクル速度は、第２の段１０において更に減速され、出口２４にて出力される。第２の段１０は、別の段又はシャフト１４を介して負荷１６に接続することができる。
【０００４】
種々のガスタービンは、第１の段８と第２の段１０との間で可変の幾何形状のノズルシステム２６を使用している。ノズルシステム２６は、高圧タービン８と低圧タービン１０との間でエンタルピーを分割させるために回転するよう構成された複数のノズルを含む。
【０００５】
しかしながら、ノズルシステムが誤動作する可能性があり、すなわち、複数のノズルの１つ又はそれ以上がノズルシステム又はガスタービンの別の部分に固着し、他のノズルが回転できなくなり、入力媒体のエンタルピー分割が制御不能になる可能性がある。
【０００６】
従って、上述の問題及び欠点を回避するシステム及び方法を提供することが望ましいことになる。
【発明の概要】
【０００７】
１つの例示的な実施形態によれば、圧縮機に直列に接続された第１及び第２のタービン間に設置される固着ノズルシステムを制御する方法が提供される。本方法は、ノズルシステムが固着したか否かを判定する段階と、ノズルシステムが固着したときに最小速度指令を増大するよう第１のタービンに指示する段階と、ノズルシステムが引き続き固着しているか否かを検証する段階と、ノズルシステムが固着したときに入口ブリード加熱（ＩＢＨ）流量を現在値から最大値まで増大するよう圧縮機に指示する段階と、ノズルシステムが引き続いて固着しているか否かを検証する段階と、ノズルシステムが固着したときに入口ガイドベーン（ＩＧＶ）角を現在値から最大値まで増大させるよう圧縮機に指示する段階と、を含む。
【０００８】
別の例示的な実施形態によれば、固着ノズルを改善するよう構成されたシステムが提供される。本システムは、媒体を加圧するよう構成された圧縮機を備え、該圧縮機が、加圧媒体の一部を圧縮機の入口に戻すことができる入口ブリード加熱（ＩＢＨ）機構と、圧縮機の入口への媒体流を制御するよう構成された入口ガイドベーン（ＩＧＶ）機構と、を含む。本システムはまた、圧縮機に流体接続され、加圧媒体を燃料と混合して点火した後に排出ガスを生成するよう構成された燃焼器と、燃焼器に直列に接続された第１及び第２のタービンと、ノズルを含み、第１のタービンと前記第２のタービンとの間でエンタルピーの分割を調整するよう構成されたノズル機構と、第１のタービン、ＩＢＨ機構、及びＩＧＶ機構に接続され、第１のタービンの最少速度指令、ＩＢＨ流量、及びＩＧＶ角を増大させてノズル機構を固着解除するよう構成されたコントローラと、を備える。
【０００９】
更に別の例示的な実施形態によれば、コンピュータ実行可能命令を含むコンピュータ可読媒体が提供され、該命令は、実行されたときに、圧縮機に直列に接続された第１及び第２のタービン間に設置される固着ノズルシステムを制御する方法を実施する。上記方法は、上記で検討した方法と同様である。
【００１０】
他の例示的な実施形態によれば、上記で検討した方法は、ＩＧＶ角を現在値から最大値まで増分的に増大させること、又はＩＧＶ角の増分的増大の間にノズルシステムが依然として固着しているか否かを検出すること、又はノズルシステムが固着解除されたときにＩＧＶ角の増分的増大をストップすること、又はノズルシステムが固着解除されたときに第１のタービンの速度、ＩＢＨ流量、及びＩＧＶ角の増大した値を現在値に戻すことの何れかのステップを含むことができる。
【００１１】
本明細書に組み込まれ且つその一部を構成する添付図面は、１つ又はそれ以上の実施形態を例証しており、本明細書と共にこれらの実施形態を説明する。
【図面の簡単な説明】
【００１２】
【図１】従来のガスタービンの概略図。
【図２】１つの例示的な実施形態によるガスタービンの概略図。
【図３】１つの例示的な実施形態によるノズルシステムの概略図。
【図４】１つの例示的な実施形態による固着ノズル機構の制御を復帰させる方法のフローチャート。
【図５】１つの例示的な実施形態による出力に対するノズル機構角を示すグラフ。
【図６】１つの例示的な実施形態による固着ノズル機構の制御を復帰させる方法のフローチャート。
【図７】ガスタービンを制御するコントローラの概略図。
【発明を実施するための形態】
【００１３】
例示的な実施形態の以下の詳細な説明は、添付図面を参照する。異なる図面における同じ参照符号は同じ又は同様の要素とみなされる。以下の詳細な説明は本発明を限定するものではない。むしろ、本発明の範囲は添付の請求項によって定義される。以下の実施形態は、簡単にするために、２つの段のガスタービンの用語及び構造に関して検討する。しかしながら、次に検討される実施形態は、これらのシステムに限定されず、ノズルシステムを用いて高圧タービンと低圧タービンとの間のガス膨張を制御する他のガスタービンに適用することができる。
【００１４】
本明細書を通して「一実施形態」又は「実施形態」として言及することは、実施形態に関連して説明される具体的な特徴、構造、又は特性が開示される主題の少なくとも一つの実施形態に含まれることを意味する。従って、本明細書全体を通じて様々な箇所で「１つの実施形態では」又は「ある実施形態では」の表現が出現するが、必ずしも同じ実施形態について言及している訳ではない。更に、具体的な特徴、構造、又は特性は、１つ又はそれ以上の実施形態においてあらゆる好適な様態で組み合わせることができる。
【００１５】
例示的な実施形態によれば、ノズルシステムのノズルが移動しない時点を検出する方法が提供され、従って、本方法は、ガスタービンの第１のタービンの最小速度指令を増大させる。ノズルが依然として開放又は閉鎖させるコマンドに応答しない場合、入口ブリード加熱（ＩＢＨ）流量が所定値まで増大し、ノズルを強制的に移動させる。ノズルが依然としてコマンドに応答しない場合、入口ガイドベーン（ＩＧＶ）角が所定値まで増大する。ノズルの制御が復帰すると、タービンの最小速度指令及びＩＢＨ及びＩＧＶが初期値まで低減される。
【００１６】
図２に示す例示的な実施形態によれば、ガスタービン３０は、第１の段３１及び第２の段３２を含むことができる。簡単にするために、検討するガスタービンは２つの段を有する。しかしながら、本明細書で検討される新規の特徴は、２つよりも多い段を有するガスタービンに適用される。これらの段は膨張器と呼ばれることがある。第１の段３１は、入口３２と出口３４とを有する。上述のように、入口３２にて提供される流れ媒体が膨張されて、より低エネルギーを有する出口３４の第１の段から放出される。従って、ガスタービンは、流動燃焼ガスからエネルギーを抽出する回転エンジンである。ガスタービンは、タービンの他に圧縮機及び燃焼室を含む。図２は、燃焼器４８に接続された出口を有する圧縮機４４を示している。例えば、圧縮機４４からの加圧空気は、ライン５０により提供される燃料と燃焼器４８内で混合されて点火される。既燃ガス（排出ガス）は高温であり、従って、運動エネルギーを蓄積している。高温の排出ガスは、ガスタービン３０の第１の段３１（タービン）の入口３２に提供される。ガスタービンとは反対側にある軸流圧縮機はまた、例示的な実施形態を検討するための一例として用いることができる。しかしながら、簡単にするために、例示的な実施形態ではガスタービンについてのみ検討する。
【００１７】
長い期間にわたって、ガスタービンの効率及び燃焼器ターンダウン能力を向上させる種々の機構が開発されてきた。このような機構は、ＩＢＨ機構、ＩＧＶ機構、その他を含む。以下でこれらの機構を簡潔に検討する。
【００１８】
図２にはＩＢＨ機構が概略的に示されている。ＩＢＨ機構３６は、圧縮機を流れる出力媒体の一部を経路３８に沿って分流し、これを経路４０に沿って圧縮機４４の入口５２に再流入させる。媒体が空気である場合、分流される空気はブリード空気と呼ばれる。ＩＢＨ機構３６の１つの目的は、経路３８に沿って流れる分流媒体が入口５２における媒体の温度よりも高い温度であるときに、入口５２の媒体の温度を上昇させることである。
【００１９】
ガスタービンにより使用される別の機構はＩＧＶである。ＩＧＶ機構４２は、圧縮機４４の入口５２に置かれ、圧縮機４４に流入する媒体の量を制御するよう構成される。ＩＧＶ４２は、ある一定の範囲で回転して入口５２の開放区域を増減させるよう構成された複数のベーンを含む。
【００２０】
図２はまた、第１のタービン３１と第２のタービン３２との間に配置されたノズル機構６０を示している。ノズル機構６０は、第１のタービン３１と第２のタービン３２との間のエンタルピー分割の量を制御するよう構成される。図３は、ノズル機構６０の１つの実施例を示す。ノズルシステム６０は、回転リング６３に接続された油圧ピストン６１を含むことができ、レバーを介してノズル６５全てを調節し、第１の段から流入するガスに可変区域の第２段ノズルを提供する。論理機構６２は、例えば、ノズル機構６０を制御するためにガスタービン３０に取り付けることができ、或いは、遠隔に配置されてガスタービン３０の種々の要素に接続することができる。論理機構６２はまた、第１のタービン３１に対する最小速度指令、圧縮機４４の種々のパラメータ、及び燃焼器４８の種々のパラメータを制御するよう構成することができる。
【００２１】
次に、ノズルシステム（ノズルガイドベーン（ＮＧＶ））の機能不全の検出及び／又はこの異常状態の改善についての方法を図４に関して検討する。図４に示す例示的な実施形態によれば、ＮＧＶ故障が検出され是正される。より具体的には、ステップ４００において、ＮＧＶ角の値が測定される。ステップ４０２において、測定値ＮＧＶＦＢＫ（フィードバック値）が設定値ＮＧＶＳＥＴと比較される。所定時間においてフィードバック値と設定値との間の差違が一定の値よりも大きい場合、ＮＧＶシステム６０が故障した、すなわちノズルが固着したとみなされる。１つの適用において、フィードバック値と設定値との間の差違に絶対値関数ＡＢＳが適用される。すなわち、１つの例示的な実施形態において、固着したＮＧＶの状態は、６０ｓ前後においてＡＢＳ（ＮＧＶＳＥＴ−ＮＧＶＦＢＫ）＞２で与えられる。
【００２２】
本方法は、後続のステップの１つ又はそれ以上を実施することによってＮＧＶシステム６０の検出した故障を是正することができる。ガスタービンの論理機構６２が、上述の関係に基づいてＮＧＶシステムの故障を検出した場合、ステップ４０４において、論理機構は、ガスタービンに第１のタービン３１の最小速度ＴＮＨ指令を増大するよう指示する。論理機構６２は、プロセッサ、専用電気回路、コンピュータソフトウェア、又はこれらの組み合わせとすることができる。論理機構６２は、ガスタービン３０全体を協働させる集中装置とすることができ、或いは、圧縮機、燃焼器、タービン、その他に分散させてもよい。論理機構６２は、上述の所定値及び必要なコンピュータ命令を記憶するメモリ６４（図２を参照）に接続することができる。
【００２３】
論理機構６２は、ＮＧＶシステム６０が故障したか否かを検出するために１つ又はそれ以上のセンサ６６（図２を参照）に接続することができる。センサ６６は、ＮＧＶシステム６０のノズルの回転角度を測定するよう構成することができる。論理機構６２は、圧縮機の速度、圧縮機の吸入量、その他を制御するために圧縮機４４に接続することができ、また、圧縮機からの加圧媒体と燃料との間の混合比並びに他の燃焼特性を制御するために燃焼器４８に接続することができ、更に、他の機能を実施するためにタービン３１、３３に接続することができる。論理機構６２は、最小ＴＮＨ指令をより高い値まで増大させるよう構成することができ、この値は機械毎に変えることができる。１つの例示的な実施形態によれば、最小ＴＮＨ指令は、現在値からより高い値までオープンループで増大させる。例えば、現在の最小ＴＮＨ指令が公称値の９４％である場合、この現在値は、公称値の９８％まで増大することができる。ステップ４０６において、論理機構６２は、ステップ４００及び４０２を繰り返すことによりＮＧＶシステムが回復されたか否かを検証する。ＮＧＶシステムの可動性が回復した場合、本方法は次には進まない。しかしながら、ＮＧＶシステムが依然として固着している場合、本方法はステップ４０８に進み、ＩＢＨ流量が現在値から最大値まで増大される。
【００２４】
１つの適用において、この最大値は全流量の７％である。ステップ４０８は、増分的手法で実施することができ、すなわち、ＩＢＨ流量を第１の値に増大させることができ、ＮＧＶＦＤＢが測定され、ＮＧＶシステムが依然として固着している場合、ＩＢＨ値を更に第２の値まで増大させ、ＩＢＨ量が最大値に増大されるまで以下同様である。換言すると、これは閉ループサイクルである。
【００２５】
ステップ４０８及びＩＢＨ流量の値が最大値になった後、本方法はステップ４１０に進み、ＮＧＶシステムの可動性が回復したか否かをチェックする。これに当てはまらない場合、すなわち、ＮＧＶシステムが依然として固着している場合、本方法はステップ４１２に進み、ＩＧＶ角が現在値から最大値まで増大される。１つの適用において、ＩＧＶ角の最大値は７５度である。ステップ４１２は、ステップ４０８に関して上述したように閉ループとすることができる。
【００２６】
論理機構６２は、最小ＴＮＨ指令、ＩＢＨ流量及びＩＧＶ角を順次的に増大させ、また、ＮＧＶの可動性が回復すると直ぐにこのシーケンスをストップするよう構成される。１つの例示的な実施形態において、ＴＮＨ、ＩＢＨ及びＩＧＶの増大のシーケンスが続き、他のシーケンスは使用されない。
【００２７】
図５には、ＮＧＶ角（単位は度）とガスタービンにより生成される出力との依存性が示される。ガスタービンの出力が増大すると、ＮＧＶ角は、最初に最小値に達するまで減少し、次いで、再度増大する点に留意されたい。図５のＸ軸の値は例示的なものであり、この例示的な実施形態に限定されない点に留意されたい。機械、負荷、及び他の要因に応じて他の数を適用してもよい。ＮＧＶ角が減少すると、曲線７２と固着角閾値７４との交点である点７０に達する。点７０は、特定のガスタービン及び動作条件において、ＮＧＶシステムが故障した状態を特徴付ける。従って、ガスタービンの出力が更に増大したときに、ＮＧＶ角は曲線７４上で一定のままである。ＮＧＶシステムが固着していると検出されると、図４に関して説明された方法が起動され、次いで、ＴＮＨ、ＩＢＨ、及びＩＧＶシーケンスが続く。図４の方法の起動を示す点は、図５の曲線７６上の点７８で示される。ある時点において、ＮＧＶシステムの可動性が回復されたときには、ＮＧＶ角の代表的点は曲線７２上に戻る。図４に示す方法は、コントローラ６２においてソフトウェア形式、電気回路形式、又はこれらの組み合わせで実施することができる。１つの適用において、ソフトウェアパッチは、コントローラ６２のプロセッサにより実行されたときに、図４に示すステップの１つ又はそれ以上を実行するコンピュータ命令を含むよう設計することができる。ソフトウェアパッチは、固着しているノズルを是正するために既存のガスタービンに導入することができる。
【００２８】
１つ又はそれ以上の例示的な実施形態によれば、上述のように構成されたコントローラを有するシステムは、有利には、高圧シャフト速度の制御を改善し、及び／又は固着しているノズルに起因する出力制限を軽減し、及び／又はガスタービン性能の損失を縮小し、及び／又は燃焼器ターンダウン能力を向上させる。
【００２９】
図６に示す例示的な実施形態によれば、燃焼器に直列に接続された第１及び第２のタービン間に導入される固着ノズルシステムを制御する方法が提供される。本方法は、ノズルシステムが固着したか否かを判定するステップ６００と、ノズルシステムが固着したときに最小速度指令を増大するよう第１のタービンに指示するステップ６０２と、ノズルシステムが引き続き固着しているか否かを検証するステップ６０４と、ノズルシステムが固着したときに入口ブリード加熱（ＩＢＨ）流量を現在値から最大値まで増大するよう圧縮機に指示するステップ６０６と、ノズルシステムが引き続き固着しているか否かを検証するステップ６０８と、ノズルシステムが固着したときに入口ガイドベーン（ＩＧＶ）角を現在値から最大値まで増大させるよう圧縮機に指示するステップ６１０と、を含む。
【００３０】
開示される例示的な実施形態は、ガスタービン又は他の機械における固着ノズルの制御を復帰させるシステム及び方法を提供する。本明細書は本発明を限定するものではない点は理解されたい。逆に、例示的な実施形態は、添付の請求項により定義される本発明の技術的思想及び範囲内に含まれる、代替形態、修正形態、及び均等形態を保護するものとする。更に、例示的な実施形態の詳細な説明において、請求項に記載された本発明を包括的に理解するために、多数の特定の詳細事項が記載されている。しかしながら、当業者であれば、種々の実施形態はこのような特定の詳細事項がなくとも実施できる点は理解されるであろう。
【００３１】
図７には、限定ではなく例証として、例示的な実施形態による動作を実施可能な代表的コントローラの実施例が示されている。しかしながら、本発明の例示的な実施形態の原理は、他のコンピュータシステムにも等しく適用できる点は理解されたい。
【００３２】
例示的なコントローラ７００は、マイクロプロセッサ、縮小命令セットコンピュータ（ＲＩＳＣ）、又は他の中央処理モジュールなどの処理／制御ユニット７０２を含むことができる。処理ユニット７０２は、単一のデバイスである必要はなく、１つ又はそれ以上のプロセッサを含むことができる。例えば、処理ユニット７０２は、マスタープロセッサと、該マスタープロセッサと通信するよう結合された関連するスレーブプロセッサとを含むことができる。代替として、処理ユニット７０２は、図２に示す構造体を有することができる。
【００３３】
処理ユニット７０２は、記憶装置／メモリ７０４内で利用可能なプログラムにより決定されるシステムの基本機能を制御することができる。従って、処理ユニット７０２は、図４及び６で説明された機能を実行することができる。より具体的には、記憶装置／メモリ７０４は、コントローラ上で機能及びプログラムを実施するオペレーティングシステム及びプログラムモジュールを含むことができる。例えば、プログラム記憶装置は、読み取り専用メモリ（ＲＯＭ）、フラッシュＲＯＭ、プログラム可能及び／又は消去可能ＲＯＭ、ランダムアクセスメモリ（ＲＡＭ）、加入者インタフェースモジュール（ＳＩＭ）、無線インタフェースモジュール（ＷＩＭ）、スマートカード、又は他のリムーバブルメモリデバイス、その他のうちの１つ又はそれ以上を含むことができる。プログラムモジュール及び関連する特徴はまた、インターネットなどのネットワークを介して電気的にダウンロードするような、データ信号を介してコントローラ７００に転送することができる。
【００３４】
記憶装置／メモリ７０４に記憶することができるプログラムの１つは、特定プログラム７０６である。上述のように、特定プログラム７０６は、ガスタービンの種々のセンサ又は構成要素と相互作用して、ノズル機構が固着しているか否かを判定することができる。プログラム７０６及び関連する特徴は、プロセッサ７０２により作動可能なソフトウェア及び／又はファームウェアにおいて実装することができる。プログラム記憶装置／メモリ７０４はまた、データ７０８、又は本発明の例示的な実施形態に関連する他のデータを記憶するのに用いることができる。１つの例示的な実施形態において、プログラム７０６及びデータ７０８は、不揮発性電気的消去可能プログラム可能ＲＯＭ（ＥＥＰＲＯＭ）、フラッシュＲＯＭ、その他に記憶され、コントローラ７００の電源が切れたときに情報が失われないようにする。
【００３５】
プロセッサ７０２はまた、ユーザインタフェース７１０要素に結合することができる。ユーザインタフェース７１０は、例えば、液晶ディスプレイなどのディスプレイ７１２、キーパッド７１４、スピーカ７１６、及びマイクロフォン７１８を含むことができる。これら及び他のインタフェース構成要素は、当該技術分野でよく知られるようにプロセッサ７０２に結合される。キーパッド７１４は、数字のダイアリング、１つ又はそれ以上のキーに割り当てられた操作の実行を含む、様々な機能を実施する英数字キーを含むことができる。或いは、音声コマンド、スイッチ、タッチパッド／スクリーン、或いは、ポインティングデバイス、トラックボール、ジョイスティック、又は他の何れかのユーザインタフェース機構を用いたグラフィカルユーザインタフェースなどの他のユーザインタフェース機構を利用してもよい。
【００３６】
コントローラ７００はまた、デジタル信号プロセッサ（ＤＳＰ）７２０を含むことができる。ＤＳＰ７２０は、アナログ−デジタル（ＡＤ）変換、デジタル−アナログ（Ｄ／Ａ）変換、音声符号化／復号化、暗号化／暗号解読化、エラー検出及び訂正、ビットストリーム変換、フィルタ処理、その他を含む、様々な機能を実施することができる。一般的にはアンテナ７２４に結合されるトランシーバ７２２は、無線デバイス（例えば、センサ）と関連する無線信号を送受信することができる。
【００３７】
図７のコントローラ７００は、本発明の例示的な実施形態の原理を適用することができるコンピュータ環境の代表的な実施例として提供される。本明細書で提供される説明から、当業者であれば、本発明が、現在公知の及び将来の種々のモバイル及び固定コンピュータ環境において等しく適用できる点は理解されるであろう。例えば、特定用途７０６及び関連する特徴及びデータ７０８は、様々な方法で記憶することができ、また様々な処理デバイス上で作動することができ、更に、追加の、又はより少ない、或いは異なるサポート回路及びユーザインタフェース機構を有する電子デバイスで実施可能とすることができる。
【００３８】
本発明の例示的な実施形態の特徴及び要素は、特定の組み合わせで実施形態において説明したが、各特徴又は要素は、実施形態の他の特徴及び要素を伴わず単独で、或いは本明細書で開示される他の特徴及び要素の有無に関わりなく種々の組み合わせで用いることができる。
【００３９】
本明細書は、開示された主題の実施例を用いて、あらゆる当業者があらゆるデバイス又はシステムを実施及び利用すること並びにあらゆる包含の方法を実施することを含む本発明を実施することを可能にする。特許保護される主題の範囲は、請求項によって定義され、当業者であれば想起される他の実施例を含むことができる。このような他の実施例は、請求項の範囲内にあるものとする。
【符号の説明】
【００４０】
３０  ガスタービン
３２  入口
３４  出口
３６  ＩＢＨ機構
３８  経路
４２  ＩＧＶ
４４  圧縮機
４８  燃焼器
５０  ライン
５２  圧縮機４４の入口
６０  ノズル機構
６１  油圧ピストン
６５  ノズル
６３  回転リング
【図１】
0005860610.tif 000002
【図２】
0005860610.tif 000003
【図３】
0005860610.tif 000004
【図４】
0005860610.tif 000005
【図５】
0005860610.tif 000006
【図６】
0005860610.tif 000007
【図７】
0005860610.tif 000008